(57)【要約】  複数台の車両の隊列走行の申請情報を受け付ける申請情報受付手段と、前記申請情報に基づく隊列走行の実施可否を判定する実施可否判定手段と、前記実施可否の判定結果に基づいて、前記隊列走行の実施を許可する実施許可手段と、を備える車両管理装置。
2020162343.tif 000002
【特許請求の範囲】
【請求項１】
複数台の車両の隊列走行の申請情報を受け付ける申請情報受付手段と、
前記申請情報に基づく隊列走行の実施可否を判定する実施可否判定手段と、
前記実施可否の判定結果に基づいて、前記隊列走行の実施を許可する実施許可手段と、
を備える車両管理装置。
【請求項２】
前記隊列走行が実施される道路の、前記申請情報に関わる交通状況情報を取得する取得手段と、
取得された前記交通状況情報に基づいて前記隊列走行に関する基準を設定する設定手段と、
をさらに備え、
前記実施可否判定手段は、設定された前記基準に基づいて前記隊列走行の実施可否を判定する、
請求項１に記載の車両管理装置。
【請求項３】
前記実施許可手段は、前記実施可否の判定の結果、前記隊列走行の実施可と判定された場合に、前記隊列走行の実施に際し必要な情報を前記車両に対して送信する
ことを特徴とする請求項１または２に記載の車両管理装置。
【請求項４】
前記実施許可手段は、前記実施可否の判定の結果、前記隊列走行の実施可と判定された場合に、前記車両に備わる隊列走行制御機能を活性化する情報を前記車両に対して送信する、
請求項３に記載の車両管理装置。
【請求項５】
複数台の車両の隊列走行の申請情報を受け付け、
前記申請情報に基づく隊列走行の実施可否を判定し、
前記実施可否の判定結果に基づいて、前記隊列走行の実施を許可する
車両管理方法。
【請求項６】
車両管理装置のコンピュータに、
複数台の車両の隊列走行の申請情報を受け付け、
前記申請情報に基づく隊列走行の実施可否を判定し、
前記実施可否の判定結果に基づいて、前記隊列走行の実施を許可する、
処理を実行させるプログラムを記憶する記憶媒体。
【発明の詳細な説明】
【技術分野】
【０００１】
本発明は、車両管理装置、車両管理方法、プログラムを記憶する記憶媒体に関する。
【背景技術】
【０００２】
近年、隊列を組んで車両を走行させる技術が検討されている。隊列を組んで車両を走行させることにより、車両の燃費向上、輸送量の増加等の効果が見込まれる。複数の車両が隊列走行する道路では、隊列を組まない車両が車線へ進入することが困難となる可能性がある。例えば、道路の本線を隊列走行する車列が長い場合、当該隊列走行の最後尾の車両が通過するまで、進入路から本線へ進入する他の車両はその進入を行うことができず、進入路と本線との合流地点で一時停止しなければならない。そうすると進入路から本線へ進入する車両の数が多い場合、本線と進入路の合流地点で渋滞が発生する。従って、隊列走行する車列の長さや道路区間などの適切な管理が必要となる。【０００３】
特許文献１には複数台の車両がグループで走行するグループ走行の実現を可能とするための技術が開示されている。また特許文献１には、グループ走行に参加する車両と、それら車両の発着点、希望時刻を含む予約申請を走行管理センタが受け付けて登録すること、走行計画を立案すること、及びグループ走行の実施状況を監視することが記載されている。
【先行技術文献】
【特許文献】
【０００４】
【特許文献１】特開２０１７−６２６９１号公報
【発明の概要】
【発明が解決しようとする課題】
【０００５】
上述のように車両が隊列走行する場合、隊列走行が実施される道路の状況等に基づいて車両の隊列走行の実施を管理する必要がある。【０００６】
そこでこの発明は、上述の課題を解決する車両管理装置、車両管理方法、プログラムを記憶する記憶媒体を提供することを目的としている。
【課題を解決するための手段】
【０００７】
発明の第１の態様によれば、車両管理装置は、複数台の車両の隊列走行の申請情報を受け付ける申請情報受付手段と、前記申請情報に基づく隊列走行の実施可否を判定する実施可否判定手段と、前記実施可否の判定結果に基づいて、前記隊列走行の実施を許可する実施許可手段と、を備えることを特徴とする。【０００８】
発明の第２の態様によれば、車両管理方法は、複数台の車両の隊列走行の申請情報を受け付け、前記申請情報に基づく隊列走行の実施可否を判定し、前記実施可否の判定結果に基づいて、前記隊列走行の実施を許可することを特徴とする。【０００９】
発明の第３の態様によれば、記憶媒体に記憶されたプログラムは、車両管理装置のコンピュータに、複数台の車両の隊列走行の申請情報を受け付け、前記申請情報に基づく隊列走行の実施可否を判定し、前記実施可否の判定結果に基づいて、前記隊列走行の実施を許可する、処理を実行させることを特徴とする。
【発明の効果】
【００１０】
本発明によれば、車両が隊列走行する道路の状況に基づいて、その実施可否を適切に判断して当該隊列走行を管理することができる。
【図面の簡単な説明】
【００１１】
【図１】本発明の一実施形態による車両管理システムの構成を示す図である。
【図２】本発明の一実施形態による車両管理装置のハードウェア構成図である。
【図３】本発明の一実施形態による車両管理装置の機能ブロック図である。
【図４】本発明の一実施形態による監視部の機能ブロック図である。
【図５】本発明の一実施形態による車両管理装置の処理フローを示す第一の図である。
【図６】本発明の一実施形態による車両管理装置の処理フローを示す第二の図である。
【図７】本発明の一実施形態による車両管理装置の最小構成を示す図である。
【図８】本発明の一実施形態による車両管理装置の最小構成に対応するフローチャートを示す図である。
【発明を実施するための形態】
【００１２】
以下、本発明の一実施形態による車両管理装置を図面を参照して説明する。
図１は同実施形態による車両管理装置を備えた車両管理システムの構成を示す図である。
図１で示すように車両管理システム１００は、一例としては、車両管理装置１、路側機２、及び端末３を含んで構成される。
車両管理装置１は路側機２及び端末３と通信接続する。
路側機２は隊列走行する道路の路肩等に設置されている。路側機２は車両４が通過したことを検知する通過検知機能と、車両４に搭載された車載器４０や車両管理装置１と通信する通信機能とを有する。路側機２は、車載器４０との通信接続に基づいて車載器４０から受信した情報を、車両管理装置１へ送信する。また路側機２は、車両管理装置１から受信した情報を車載器４０へ送信することができる。
なお車載器４０は、本実施形態においては、隊列走行を実施するための機能を有するものとする。例えば車載器４０は、自車の一つ前の位置で隊列走行に参加する車両（前方車両）４を追尾走行するために前方車両との距離や位置を検出する機能、当該検出を行うためのレーダの送受信を制御する機能、当該検出結果に基づいて車両の速度や進行方向を制御する機能を備えてよい。また車載器４０は、車両管理装置１から受信した情報に基づいて隊列走行を実施するための各処理を行うための機能を有してよい。なお車載器４０が、隊列走行を実施するための処理は公知の技術を用いるものとする。
【００１３】
端末３は、隊列を組んで走行する車両４を管理すると共に当該車両４の隊列走行を申請する申請者が、利用する。申請者は端末３を用いて複数の車両４が隊列を組んで走行する隊列走行の実施の申請を行う。端末３は申請者の操作に基づいて隊列走行の実施の申請情報を生成して車両管理装置１へ送信する。端末３は、一例としては、パーソナルコンピュータや携帯端末である。
【００１４】
図２は車両管理装置のハードウェア構成図である。
この図が示すように車両管理装置１はＣＰＵ（Central Processing Unit）１０１、ＲＯＭ（Read Only Memory）１０２、ＲＡＭ（Random Access Memory）１０３、データベース１０４、通信モジュール１０５等の各ハードウェアを備えたコンピュータである。
【００１５】
図３は車両管理装置の機能ブロック図である。
車両管理装置１は電源が投入されると起動し、予め記憶する管理プログラムを実行する。これにより車両管理装置１は、制御部１１、申請情報受付部１２、交通状況取得部１３、基準設定部１４、実施可否判定部１５、実施許可部１６、監視部１７、及び通行料金算出部１８、の各機能を実行する。
【００１６】
制御部１１は車両管理装置１の各機能部を制御する。
申請情報受付部１２は、複数台の車両４の隊列走行の申請情報を受け付ける。
交通状況取得部１３は、隊列走行が実施される道路に関わる交通状況情報を取得する。
基準設定部１４は、交通状況情報に基づいて隊列走行に関する基準を設定する。
実施可否判定部１５は、申請情報に基づく隊列走行の実施可否を判定する。
実施許可部１６は、実施可否の判定結果に基づいて隊列走行の実施を許可する。
監視部１７は、車両４の隊列走行の実施状況が、申請情報に含まれる隊列態様と一致するか否かを監視する。
通行料金算出部１８は、車両４の隊列走行の実施状況が申請情報に含まれる隊列態様と一致する場合に、割引の通行料金を算出する。
【００１７】
上述のような車両管理システム１００において、車両管理装置１は、複数台の車両の隊列走行の申請情報を受け付ける。また車両管理装置１は申請情報に基づく隊列走行の実施可否を判定する。車両管理装置１は、隊列走行の実施可否の判定結果に基づいて、隊列走行の実施を許可する。
【００１８】
隊列走行の実施可否を判定において、車両管理装置１は、隊列走行が実施される道路の、申請情報に関わる交通状況情報を取得し、取得された交通状況情報に基づいて隊列走行に関する基準を設定する。そして、車両管理装置１は、その設定された基準に基づいて隊列走行の実施可否を判定する。
【００１９】
これにより、車両管理装置１は、車両の隊列走行の実施を管理することができる。
【００２０】
図４は監視部の機能ブロック図である。
図４で示すように監視部１７は、さらに隊列車両検出部１７１、隊列走行判定部１７２、注意喚起部１７３、及び実績記録部１７４の機能を実行する。
隊列車両検出部１７１は、隊列走行を実施している車両４を検出する。
隊列走行判定部１７２は、申請情報で示される隊列走行の実施可否を判定する。
注意喚起部１７３は、車両４の隊列走行の実施状況が、申請情報に基づく隊列走行に基づいた実施でないと判定された場合に、それら隊列走行を成す車両４や、それら車両４を管理する申請者の利用する端末３に注意喚起を示す情報を送信する。
実績記録部１７４は、隊列走行判定部１７２の判定結果を記録する。
【００２１】
図５は車両管理装置の処理フローを示す第一の図である。
次に、車両管理装置１による処理を説明する。
まず申請者は自身が管理する複数の車両４に隊列走行を行わせる場合、端末３を用いて隊列走行の申請を行う。なお隊列走行には他の申請者が管理する車両４が含まれてもよい。この申請を行うにあたり、申請者は、端末３を車両管理装置１にアクセスさせる。車両管理装置１の申請情報受付部１２は、端末３によるアクセスを検知し、申請登録ウェブページに関する情報を端末３へ送信する（ステップＳ１０１）。つまり申請情報受付部１２はウェブサーバの機能を有し、当該機能により申請登録ウェブページに関する情報を端末３へ送信する。
申請登録ウェブページには、申請者番号、隊列走行を成す車両を識別するための車載器ＩＤ、ナンバープレートに記載のナンバー、隊列走行区間、隊列走行を実施する時間、隊列走行台数、隊列走行を構成した場合の各車両４の隊列における順序、などの入力欄が設けられる。
【００２２】
端末３は、申請登録ウェブページに関する情報を受信する。端末３は申請登録ウェブページをモニタに出力する。申請者は、マウスやキーボード等の入力装置を用いて、申請者番号、隊列走行を成す車両を識別するための車載器ＩＤ、ナンバープレートに記載のナンバー、隊列走行区間、隊列走行を実施する時間、隊列走行台数、各車両４の隊列における順序などの入力欄に各情報を入力する。また申請者は、申請登録ウェブページに設けられた登録ボタンを押下操作する。
すると端末３は入力欄に入力された各種情報を含む隊列走行の申請情報を生成する。端末３は申請情報を車両管理装置１へ送信する。申請情報に含まれる隊列走行区間の情報には、道路を特定するための道路ＩＤや、その道路における隊列走行区間を示す隊列走行開始座標、隊列走行終了座標などが含まれてよい。
【００２３】
車両管理装置１は申請情報を受信する（ステップＳ１０２）。車両管理装置１の申請情報受付部１２は申請情報を、データベース１０４の記憶する申請テーブルに書き込む（ステップＳ１０３）。また申請情報受付部１２は、実施可否判定部１５に申請情報に含まれる各情報に基づく隊列走行の実施可否判定の開始を指示する。
すると実施可否判定部１５は、申請情報に含まれる隊列走行区間に基づいて、隊列走行区間に含まれる道路ＩＤと、その道路における隊列走行の隊列走行開始座標と、隊列走行終了座標とを検出する。実施可否判定部１５は、検出したそれら情報と、隊列走行を実施する時間とを交通状況取得部１３へ出力する。また実施可否判定部１５は、申請情報に含まれる隊列走行区間と、隊列走行を実施する時間とを少なくとも含む情報を基準設定部１４に対して出力し、実施可否の判定基準を示す基準情報の生成を基準設定部１４に対して指示する。
【００２４】
交通状況取得部１３は、隊列走行区間に含まれる道路ＩＤと、その道路における隊列走行の隊列走行開始座標と、隊列走行終了座標と、隊列走行を実施する時間とを取得する。交通状況取得部１３は、道路ＩＤ、その道路における隊列走行の隊列走行開始座標、隊列走行終了座標、及び隊列走行を実施する時間を含む交通状況配信要求を生成する。交通状況取得部１３は、車両管理装置１と通信接続された交通状況配信サーバへ、交通状況配信要求を送信する。なお、交通状況配信サーバは、図１に図示していないが、車両管理システム１００外に存在し、車両管理装置１に通信接続されているものとする。
交通状況配信サーバは、交通状況配信要求に含まれる道路ＩＤ、その道路における隊列走行の隊列走行開始座標、隊列走行終了座標、及び隊列走行を実施する時間を取得する。交通状況配信サーバは、それら道路ＩＤ、その道路における隊列走行の隊列走行開始座標、隊列走行終了座標、及び隊列走行を実施する時間に紐づいてデータベース等に記録されている交通状況情報を取得する。
交通状況情報は、例えば予想した混雑度（単位時間当たりの走行台数など）、予想した渋滞有無などを含んでよい。交通状況情報には路面の状態や、道路の形状（分岐有り・無し、進入路有り・無し）などの情報が含まれていてもよい。交通状況情報には、道路ＩＤ、その道路における隊列走行の隊列走行開始座標、隊列走行終了座標、及び隊列走行を実施する時間によって特定される地域や時間に応じた天気情報（晴れ、曇り、雨、雪、台風などを示す情報）が含まれてもよい。
これら、混雑度、渋滞有無、道路の形状、及び天気情報は、交通状況配信サーバが予め、他の装置から取得した情報、または予め各種センサから得た情報に基づいて算出し、自装置に登録された情報であってよい。交通状況情報には、道路ＩＤ、隊列走行開始座標、隊列走行終了座標などで特定される道路について予め設定されている隊列走行可能な車両の数（隊列可能数）が含まれてもよい。
【００２５】
交通状況配信サーバは、取得した交通状況情報を車両管理装置１へ送信する。車両管理装置１は交通状況情報を受信する。車両管理装置１の交通状況取得部１３は、交通状況情報を取得する（ステップＳ１０４）。
なお交通状況配信サーバの機能を、車両管理装置１が備えてもよい。つまり車両管理装置１が交通状況情報を予め取得して記憶しておいてもよいし、交通状況情報を算出してもよい。交通状況取得部１３は交通状況情報と、隊列走行区間と、隊列走行を実施する時間と、を基準設定部１４へ出力する。
基準設定部１４は交通状況情報に含まれる、混雑度、渋滞有無、道路の形状、天気情報、隊列可能数などの情報を取得する。基準設定部１４は、混雑度、渋滞有無、道路の形状、天気情報、及び隊列可能数の少なくとも一つの情報を用いて、隊列走行の基準情報を生成する（ステップＳ１０５）。基準設定部１４は、混雑度、渋滞有無、道路の形状、天気情報、及び隊列可能数の少なくとも一つの情報と、隊列走行区間と隊列走行を実施する時間との少なくとも一つの情報と、を用いて隊列走行の基準情報を生成してもよい。
隊列走行の基準情報は、隊列走行を許可できるか否かを示す値、隊列走行を許可することのできる隊列走行を成す車両台数（隊列可能数）、隊列走行を許可することのできる隊列走行の長さ、などを示す。
より具体的には、一例として基準設定部１４は、機械学習等により生成された基準情報生成モデルに、混雑度、渋滞有無、道路の形状、天気情報、隊列走行区間、及び隊列走行を実施する時間のうち基準情報を生成するために利用する情報を入力し、基準情報を出力する。または基準設定部１４は、混雑度、渋滞有無、道路の形状、天気情報、隊列走行区間、及び隊列走行を実施する時間のうち基準情報を生成するために利用する情報と、基準情報との対応関係を示すデータテーブルに基づいて、基準情報を生成するために利用する情報に応じた、基準情報を特定してもよい。実施可否判定部１５は、基準設定部１４から基準情報を取得する。
【００２６】
なお、上述の交通状況取得部１３と、基準設定部１４の処理は、予め行われていてもよい。例えば交通状況取得部１３は、全国の各道路の所定区間ごと、将来の時間帯ごとに予測された交通状況情報を順次取得する。そして基準設定部１４は、交通状況取得部１３が取得した、全国の各道路の所定区間ごと、将来の時間帯ごとに予測された各交通状況情報について、基準情報を特定する。この基準情報は予め、全国の各道路の所定区間ごと、将来の時間帯ごとに基準情報データベースに記録される。
そして実施可否判定部１５は、申請情報に含まれる隊列走行区間と、隊列走行を実施する時間とに紐づいて基準情報データベースに記録されている基準情報を読み取り、隊列走行の実施可否の判定の処理を開始してもよい。基準設定部１４は基準情報を実施可否判定部１５へ出力する。
【００２７】
実施可否判定部１５は、基準設定部１４から基準情報を取得する。実施可否判定部１５は、基準情報と、ステップＳ１０２で受信した隊列走行の申請情報に含まれる比較対象項目とを比較して、隊列走行が実施可能であるか否かを判定する（ステップＳ１０６）。
例えば、基準情報には、隊列走行を許可できるか否かを示す値と、隊列走行を許可することのできる隊列走行を成す車両台数とが含まれているとする。また申請情報に含まれる比較対象項目が隊列走行台数であるとする。この場合、実施可否判定部１５は、基準情報に含まれる隊列走行を許可できるか否かを示す値が許可できることを示し、且つ、申請情報に含まれる比較対象項目の隊列走行台数が、基準情報に含まれる隊列走行を許可することのできる隊列走行の成す車両台数以上であれば、その申請についての隊列走行が実施可であると判定する。実施可否判定部１５は、申請情報で特定される隊列走行を実施可と判定した場合、実施許可部１６に処理を指示する。
【００２８】
実施許可部１６は、申請情報で特定される隊列走行を実施可と判定した場合、申請テーブルに記録される当該申請情報を、実施予定テーブルに記録し、その申請情報を申請テーブルから削除する（ステップＳ１０７）。これにより実施許可部１６は、隊列走行の実施を許可することができる。実施許可部１６は、申請情報で特定される隊列走行を実施可と判定したか、又は、実施不可と判定したかを示す判定結果を端末３へ送信するよう申請情報受付部１２に指示する。申請情報受付部１２は判定結果を示す判定結果ページに関する情報を端末３へ送信する（ステップＳ１０８）。
【００２９】
端末３は判定結果ページをモニタに表示する。申請情報の送信を指示した申請者は、判定結果ページに記載された判定結果が実施不可である場合には、申請内容を修正し、再申請ボタンを押下操作することができる。すると端末３は、申請登録ウェブページの再送要求を車両管理装置１へ送信する。車両管理装置１の申請情報受付部１２は、申請登録ウェブページを端末３へ再送する。以降、申請者は上記と同様に、内容を変更した申請情報を、端末３を用いて車両管理装置１へ送信することができる。
【００３０】
以上の処理により、車両管理装置１は端末３から受信した申請情報に基づいて、申請者が要求する隊列走行の実施可否を判定することができる。車両管理装置１は、この実施可否の判定を、隊列走行が行われる隊列走行区間や時間に応じた交通状況に基づいて行うため、車両の隊列走行の実施可否を適切に判断して隊列走行を管理することができる。つまり、車両管理装置１は、交通状況に応じた隊列走行の実施の制限を行い、事故の発生や、渋滞の悪化を回避することに貢献することができる。
【００３１】
図６は車両管理装置の処理フローを示す第二の図である。
次に、車両管理装置１による隊列走行の監視処理について説明する。
一例として本実施形態は、高速道路のサービスエリア等に設けられた所定の専用エリアにおいて複数の車両４が隊列を組む場合の例を用いて説明する。例えば複数の車両４それぞれは、異なる入口から高速道路に進入し、所定のサービスエリアの専用エリアに到着する。
【００３２】
各車両４のドライバは専用エリアにおいて、自身の担当車両４を運転し、当該車両４が申請情報で特定される隊列走行を実施するための当該隊列の位置（隊列における所定の順序に基づく位置）に車両４を移動させる。ドライバは車両４に備わる車載器４０を操作して隊列走行を実施するための処理の開始を指示する。この時、車載器４０は、車両管理装置１からの制御の下、隊列走行の開始制御を始動する。この場合、車載器４０は、隊列を特定するための、申請者番号、車載器ＩＤ、車両４のナンバープレートに記載のナンバー、隊列走行区間、隊列走行を実施する時間、隊列走行台数、隊列における順序などの情報を含む、隊列走行制御のアクティベーション要求を車両管理装置１へ送信する。
【００３３】
車両管理装置１はアクティベーション要求を受信する（ステップＳ２０１）。車両管理装置１の実施許可部１６は、アクティベーション要求を取得すると、当該アクティベーション要求に含まれる各情報に基づいて、データベース１０４に記憶される実施予定テーブルから隊列走行の申請情報を特定する。
実施許可部１６は、隊列走行の申請情報に基づいて隊列走行区間を検知する（ステップＳ２０２）。実施許可部１６は検知した隊列走行区間の車線地図情報や、ラインマーカ情報を、データベース１０４から取得する。車線地図情報は、例えば、標識など道路の設置物の位置、道路中心線の位置、位置に応じた、車線数やカーブの曲率といった道路の設計に基づく情報を含む。ラインマーカ情報は、例えば、隊列走行区間の道路に所定間隔で埋め込まれた多数のマーカの各ＩＤや位置情報を保持する情報である。
そして実施許可部１６は、車線地図情報、ラインマーカ情報を含む隊列走行開始指示を、アクティベーション要求の送信元の車載器４０へ送信する（ステップＳ２０３）。車載器４０は隊列走行を実施する際に、車線地図情報やラインマーカ情報を用いて、隊列走行区間を検出するようにしてよい。この処理は、実施許可部１６が、実施可否の判定の結果、隊列走行の実施可と判定された場合に、車両に備わる隊列走行制御機能を活性化する情報を車両４に対して送信する処理の一態様である。車載器４０は隊列走行開始指示を受信し、その指示に基づいて隊列走行の制御を開始する。
【００３４】
そして、隊列走行の先頭に位置する車両４にはドライバが乗り込み、手動または自動で運転を行い、後続の車両４は当該隊列における直前に位置する車両４との間隔を維持して走行する。また車載器４０は隊列走行中に路側機２を通過する際、路側機２から発信される信号を受信する。車載器４０は路側機２から発信される信号の受信に基づいて、路側機２または車両管理装置１と通信接続を行う。
【００３５】
なお、車載器４０は、事前に、または隊列を組み終えた後のドライバの操作により、車両管理装置１から申請情報を受信していてもよい。車両管理装置１の実施許可部１６は、申請情報を車載器４０に送信する前に、車載器４０から申請情報送信要求を受信する。この申請情報送信要求には、隊列を特定するための、申請者番号、車載器ＩＤ、車両４のナンバー、隊列走行区間、隊列走行を実施する時間、隊列走行台数、隊列における順序などの情報が含まれる。
実施許可部１６は、これらの情報を含む申請情報が、データベース１０４に記憶する実施予定テーブルに含まれるか否かを判定する。実施許可部１６は、申請情報送信要求に含まれる情報の組を保持する申請情報が実施予定テーブルに含まれる場合、その申請情報を車載器４０へ送信する。これにより車載器４０は申請情報を記憶することができる。
【００３６】
隊列走行の先頭を走行する車両４以外の後続の車両４には、ドライバは乗車してもよいし、乗車しなくてもよい。しかしながら、先頭の車両４以外の後続の車両４にドライバが乗車しない場合には、隊列走行を行う走行区間の終点を示す隊列を解除する専用エリアには、隊列走行において乗車しないドライバの代わりとなる他のドライバが待ち受けているものとする。隊列走行を構成する各車両４は、異なる出口から高速道路を退出して異なる目的地まで走行してよい。
【００３７】
ここで隊列を組み終わり、隊列走行が開始したとする。そして高速道路の路側に設置されている路側機２の信号を車載器４０が受信すると、当該車載器４０は、路側機２と通信接続を行う。車載器４０は車載器ＩＤを含む隊列走行実施情報を路側機２へ送信する。隊列走行する各車両４が路側機２の前を通過すると、路側機２は各車両４の車載器４０から順次、隊列走行実施情報を取得することができる。
隊列走行実施情報には、隊列において前方を走行する車両４に搭載された他の車載器４０から、車車間通信により車載器４０が受信した、当該前方を走行する車両４の車載器４０の車載器ＩＤが含まれてもよい。隊列走行実施情報には車載器４０が当該情報を送信した際の時刻情報や、路側機２が車載器ＩＤを受信した時刻情報が含まれてよい。路側機２は隊列走行実施情報を車両管理装置１へ送信する。隊列走行実施情報は車載器４０の搭載する車両４が隊列走行していることを車両管理装置１へ伝えるための情報である。
【００３８】
車両管理装置１は隊列走行実施情報を路側機２から受信する（ステップＳ２０４）。車両管理装置１の監視部１７は、隊列走行する各車両の車載器４０の送信した隊列走行実施情報を、順次、取得する。隊列車両検出部１７１は各隊列走行実施情報に含まれる車両ＩＤや時刻情報を隊列走行判定部１７２へ出力する。
隊列走行判定部１７２は車両ＩＤに基づいて、データベース１０４の実施予定テーブルに含まれる実施予定テーブルから、当該車両ＩＤを含む申請情報を取得する。隊列走行判定部１７２は取得した申請情報に含まれる各車載器ＩＤと、取得した複数の隊列走行実施情報それぞれに含まれる車載器ＩＤとが一致するか否かを判定する。また隊列走行判定部１７２は、申請情報から特定した複数の車載器ＩＤそれぞれを含む各隊列走行実施情報を、隊列走行が路側機２の前を通過するために要すると予測される所定の時間内に路側機２で受信できたか否かを判定する。
隊列走行判定部１７２は、それらの判定に基づいて、申請情報によって許可した隊列走行が実施されているか否かを判定する（ステップＳ２０５）。
【００３９】
隊列走行判定部１７２は、隊列走行実施情報と申請情報との比較において、各情報に含まれる各車載器ＩＤ及び数が一致し、且つ、各隊列走行実施情報を所定の時間内に路側機２で受信できた場合、申請情報によって許可した隊列走行が実施されていると判定する。
隊列走行判定部１７２は、取得した隊列走行実施情報に含まれる各車載器ＩＤと、取得した複数の隊列走行実施情報それぞれに含まれる車載器ＩＤとの全てが一致しなくても、隊列走行が実施されていると判定してもよい。
また隊列走行判定部１７２は、隊列走行実施情報に含まれる、前を走行する車両４の車載器４０の車載器ＩＤに基づいて、隊列走行の順序を判定する。そして、隊列走行判定部１７２は、隊列走行が申請情報に示される順序通りに組まれているか否かを判定し、順序通りに組まれている場合に、申請情報によって許可した隊列走行が実施されていると判定してもよい。
【００４０】
隊列走行判定部１７２は、申請情報に含まれる隊列走行区間内の全ての路側機２から取得した隊列走行実施情報に基づいて、同様に申請情報によって許可した隊列走行が実施されているか否かを判定する。
隊列走行判定部１７２は、隊列走行区間内の全ての路側機２から取得した隊列走行実施情報に基づいて、申請情報によって許可した隊列走行が実施されていると判定した場合には、次の処理を行う。すなわち、隊列走行判定部１７２は、申請情報と、その申請通りに隊列走行が実施されたことを示す情報とを実績記録部１７４へ出力する。
隊列走行判定部１７２は、隊列走行区間内の全ての路側機２から取得した隊列走行実施情報のうち、ある路側機２から取得した隊列走行実施情報に基づいて、申請情報によって許可した隊列走行が実施されていないと判定した場合には、次の処理を行う。すなわち、隊列走行判定部１７２は、申請情報と、その申請通りに隊列走行が実施されていないことを示す情報とを実績記録部１７４へ出力する。
実績記録部１７４は、申請情報と、申請通りに隊列走行が実施されたか、実施されていないかを示す情報とを紐づけて、データベース１０４の実績記録テーブルに書き込む（ステップＳ２０６）。これにより、申請情報に含まれる隊列走行が実施されたか否かを記録することができる。
【００４１】
隊列走行判定部１７２は、申請通りに隊列走行が実施されていないと判定した隊列走行を特定する申請情報を注意喚起部１７３へ出力する。注意喚起部１７３は、申請通りの隊列走行が実施されていないと判定された場合、その隊列走行の申請情報を送信した端末３へ、隊列走行の実施がされていないことによる注意喚起を促す情報を送信する（ステップＳ２０７）。端末３は注意喚起を促す情報をモニタ等に出力する。これにより、申請者は隊列走行が申請通りに実施されていないことを検知することができる。
また注意喚起部１７３は、申請通りに実施されていない隊列走行を特定する申請情報に基づいて、その隊列走行の先頭の車両４の車載器ＩＤを検出する。注意喚起部１７３は当該検出した車載器ＩＤで示される車載器４０に注意喚起情報を送信してもよい。これにより、隊列走行を構成する車両４のドライバに、申請通りの隊列走行が実施されていないことを通知することができる。
なお車両管理装置１と車載器４０とはインターネットや携帯電話回線などの公衆通信ネットワークを介して接続することができ、車両管理装置１は車載器４０に直接、情報を送信することができてよい。
【００４２】
隊列走行判定部１７２は、隊列走行の順序を検出するために順序判定情報を路側機２から受信して、隊列走行の順序が申請通りか否かを判定してもよい。
例えば、路側機２は所定の順序検知信号を、隊列走行を構成する車両の車載器４０のうち、最初に通信接続できた車載器４０に送信する。車載器４０は順序検知信号に自装置を特定するための車載器ＩＤを格納して、直後を走行する車両４の車載器４０へ車車間通信により送信する。後続の車両４の車載器４０も同様に自装置を特定するための車載器ＩＤを、順序検知信号における既に書き込まれている車載器ＩＤの次の記憶領域に格納する。その後の車両４の車載器４０も同様に処理を行う。
そして隊列走行を構成する車両４のうち最後尾の車両４の車載器４０は、同様に自装置の車載器ＩＤを順序検知信号に同様に格納した後、路側機２へ送信する。路側機２は受信した順序検知信号から車載器ＩＤを格納された順番で取得し、その順番を変えることなく各車載器ＩＤを保持した順序判定情報を生成する。路側機２は車両管理装置１へ順序判定情報を送信する。
車両管理装置１は順序判定情報を受信する。そして、車両管理装置１の隊列走行判定部１７２は、車載器ＩＤとその格納の順序が、申請情報に含まれる車載器ＩＤとその順序である場合に、申請通りの隊列走行が実施されていることを判定する。
【００４３】
通行料金算出部１８は、実績記録テーブルに書き込まれた申請通りに隊列走行が実施されたことを示す情報に紐づく申請情報を取得する。通行料金算出部１８は、隊列走行の申請通りに実施がされたことに基づく通行料金を算出する（ステップＳ２０８）。当該通行料金は、通常の料金と比較して割り引かれた値であってよい。通行料金算出部１８は、算出した通行料金に応じた請求情報を生成し、端末３に送信してよい。申請者は、算出された通行料金に基づく支払を行う。
【００４４】
上述の処理によれば、車両管理装置１は、申請通りの隊列走行が実施されているか否かを確認することができる。また車両管理装置１は、隊列走行の実施に基づく割引の通行料金を算出することができる。
【００４５】
図７は車両管理装置の最小構成を示す図である。
図８は車両管理装置の最小構成に対応するフローチャートを示す図である。
車両管理装置１は、少なくとも申請情報受付部（申請情報受付手段）１２、実施可否判定部（実施可否判定手段）１５、及び実施許可部（実施許可手段）１６の機能を実行する。
そして車両管理装置１は、複数台の車両の隊列走行の申請情報を受け付ける（ステップＳ３０１）。また車両管理装置１は、申請情報に基づく隊列走行の実施可否を判定する（ステップＳ３０２）。そして車両管理装置１は、実施可否の判定結果に基づいて、隊列走行の実施を許可する（ステップＳ３０３）。
【００４６】
上述の各装置は内部に、コンピュータシステムを有している。そして、上述した各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００４７】
また、上記プログラムは、前述した機能の一部を実現するためのものであっても良い。
さらに、前述した機能をコンピュータシステムにすでに記録されているプログラムとの組み合わせで実現できるもの、いわゆる差分ファイル（差分プログラム）であっても良い。
【００４８】
この出願は、２０１９年２月４日に日本出願された特願２０１９−０１８０９０号を基礎とする優先権を主張し、その開示の全てをここに取り込む。
【産業上の利用可能性】
【００４９】
本発明によれば、車両が隊列走行する道路の状況に基づいて、その実施可否を適切に判断して当該隊列走行を管理することができる。
【符号の説明】
【００５０】
１・・・車両管理装置
２・・・路側機
３・・・端末
４・・・車両
１１・・・制御部
１２・・・申請情報受付部
１３・・・交通状況取得部
１４・・・基準設定部
１５・・・実施可否判定部
１６・・・実施許可部
１７・・・監視部
１８・・・通行料金算出部
４０・・・車載器
【図１】
2020162343.tif 000003
【図２】
2020162343.tif 000004
【図３】
2020162343.tif 000005
【図４】
2020162343.tif 000006
【図５】
2020162343.tif 000007
【図６】
2020162343.tif 000008
【図７】
2020162343.tif 000009
【図８】
2020162343.tif 000010
【手続補正書】
【提出日】令和3年6月9日(2021.6.9)
【手続補正１】
【補正対象書類名】特許請求の範囲
【補正対象項目名】全文
【補正方法】変更
【補正の内容】
【特許請求の範囲】
【請求項１】
複数台の車両の隊列走行の申請情報を受け付ける申請情報受付手段と、
前記申請情報に基づく隊列走行の実施可否を判定する実施可否判定手段と、
前記実施可否の判定結果に基づいて、前記隊列走行の実施を許可する実施許可手段と、
を備える車両管理装置。
【請求項２】
前記隊列走行が実施される道路の、前記申請情報に関わる交通状況情報を取得する取得手段と、
取得された前記交通状況情報に基づいて前記隊列走行に関する基準を設定する設定手段と、
をさらに備え、
前記実施可否判定手段は、設定された前記基準に基づいて前記隊列走行の実施可否を判定する、
請求項１に記載の車両管理装置。
【請求項３】
前記実施許可手段は、前記実施可否の判定の結果、前記隊列走行の実施可と判定された場合に、前記隊列走行の実施に際し必要な情報を前記車両に対して送信する
ことを特徴とする請求項１または２に記載の車両管理装置。
【請求項４】
前記実施許可手段は、前記実施可否の判定の結果、前記隊列走行の実施可と判定された場合に、前記車両に備わる隊列走行制御機能を活性化する情報を前記車両に対して送信する、
請求項３に記載の車両管理装置。
【請求項５】
複数台の車両の隊列走行の申請情報を受け付け、
前記申請情報に基づく隊列走行の実施可否を判定し、
前記実施可否の判定結果に基づいて、前記隊列走行の実施を許可する
車両管理方法。
【請求項６】
車両管理装置のコンピュータに、
複数台の車両の隊列走行の申請情報を受け付け、
前記申請情報に基づく隊列走行の実施可否を判定し、
前記実施可否の判定結果に基づいて、前記隊列走行の実施を許可する、
処理を実行させるプログラム。
【手続補正３】
【補正対象書類名】明細書
【補正対象項目名】０００１
【補正方法】変更
【補正の内容】
【０００１】
本発明は、車両管理装置、車両管理方法、プログラムに関する。
【手続補正４】
【補正対象書類名】明細書
【補正対象項目名】０００６
【補正方法】変更
【補正の内容】
【０００６】
そこでこの発明は、上述の課題を解決する車両管理装置、車両管理方法、プログラムを提供することを目的としている。
【手続補正５】
【補正対象書類名】明細書
【補正対象項目名】０００９
【補正方法】変更
【補正の内容】
【０００９】
発明の第３の態様によれば、プログラムは、車両管理装置のコンピュータに、複数台の車両の隊列走行の申請情報を受け付け、前記申請情報に基づく隊列走行の実施可否を判定し、前記実施可否の判定結果に基づいて、前記隊列走行の実施を許可する、処理を実行させることを特徴とする。
【国際調査報告】
2020162343.tif 000011
2020162343.tif 000012
2020162343.tif 000013
2020162343.tif 000014